(57)【要約】【課題】ターニングのための所内負荷を下げることができ、急速起動の要求にも対応可能な発電機起動システムを提供する。【解決手段】発電機起動システム１は、タービン軸を回転させるターニングモータ４と、発電機３を電動機としてトルクを発生させタービン軸を回転させる静止型駆動装置６とを備え、負荷状況に応じてターニングモータ４による低速ターニングと静止型駆動装置６による高速ターニングとのターニング方式を切り換える切換装置７を備える。【選択図】図１
2015001153.tif 000002
【特許請求の範囲】
【請求項１】
ターニング装置として、タービン軸を回転させるターニングモータと、発電機を電動機として前記タービン軸を回転させる静止型駆動装置とを備え、負荷状況に応じて前記ターニングモータによる低速ターニングと前記静止型駆動装置による高速ターニングとのターニング方式を切り換える切換装置を備える発電機起動システム。
【請求項２】
前記切換装置は、過去のタービン起動のデータに基づき、前記ターニング方式を切り換える請求項１に記載の発電機起動システム。
【請求項３】
前記切換装置は、連結する再生可能エネルギー発電設備の発電出力データに基づき、前記ターニング方式を切り換える請求項１に記載の発電機起動システム。
【請求項４】
前記切換装置は、他ユニットの所内負荷のデータに基づき、前記ターニング方式を切り換える請求項１に記載の発電機起動システム。
【請求項５】
さらに、前記静止型駆動装置による前記高速ターニングの速度を変化させる速度制御部を前記切換装置に追加し、複数の前記高速ターニング速度で前記タービン軸を回転させる請求項１から請求項４のいずれか１項に記載の発電機起動システム。
【請求項６】
前記切換装置からの前記ターニング方式の切換信号に対して、同時出力を防止するインターロックを設ける請求項１から請求項５のいずれか１項に記載の発電機起動システム。
【発明の詳細な説明】
【技術分野】
【０００１】
この発明は、発電プラントにおいてターニングモータでの低速ターニングと静止型駆動装置による高速ターニングの切り換えを行う発電機起動システムに関するものである。
【背景技術】
【０００２】
電力需要のピーク時対応や再生可能エネルギーの導入による負荷変動抑制のため、起動時間が短いガスタービン発電プラントの急速起動が検討されている。ガスタービンプラントではターニング時、起動時、運転時の3つの状態がある。従来、ターニング時は、ターニングモータを用いて軸のたわみを防ぐために数分で１回転程度回転させている。ガスタービンプラントの起動時は、静止型駆動装置を用いて、発電機を電動機としてトルクを発生させ軸の回転数をガスタービンが着火できる回転数まで上昇させる。
【０００３】
ターニング時の回転速度を速くすることで起動時間を短縮することが考えられ、回転速度を速める方法として静止型駆動装置を用いたターニング装置が開示されている（例えば、特許文献１）。
【先行技術文献】
【特許文献】
【０００４】
【特許文献１】特開平１０−１２１９０８号公報（段落［００３１］〜［００３９］、図１）
【発明の概要】
【発明が解決しようとする課題】
【０００５】
特許文献１の開示発明では、静止型駆動装置でターニングを行うため、発電機には常時固定子側に電流が流れ、冷却性能が低い低回転数時は、発電機が発熱し異常状態となる可能性がある。さらに、固定子に電流を流すため、常時所内負荷が高くなる。また、従来のターニングモータで回転速度を速める場合は、発電機の固定子に電流を流す必要はないが、大型のターニングモータが必要となり経済的ではない。
【０００６】
この発明は、上記のような問題を解決するためになされたものであり、ターニングのための所内負荷を下げることができ、急速起動の要求にも対応可能な発電機起動システムを提供することを目的とする。
【課題を解決するための手段】
【０００７】
この発明に係る発電機起動システムは、タービン軸を回転させるターニングモータと、発電機を電動機としてタービン軸を回転させる静止型駆動装置とを備え、負荷状況に応じてターニングモータによる低速ターニングと静止型駆動装置による高速ターニングとのターニング方式を切り換える切換装置を備えるものである。
【発明の効果】
【０００８】
この発明に係る発電機起動システムは、上記のように構成されているため、通常時はターニングモータで低速ターニングを行うことで所内負荷を下げ、電力消費のピーク時等は静止型駆動装置動装置で高速ターニングを行い急速起動の要求に対応することができる。
【図面の簡単な説明】
【０００９】
【図１】この発明の実施の形態１の発電機起動システムに係る構成図である。
【図２】この発明の実施の形態１の発電機起動システムに係る状態遷移図である。
【図３】この発明の実施の形態１の発電機起動システムに係るフローチャートである。
【図４】この発明の実施の形態２の発電機起動システムに係る構成図である。
【図５】この発明の実施の形態３の発電機起動システムに係る構成図である。
【図６】この発明の実施の形態４の発電機起動システムに係る構成図である。
【図７】この発明の実施の形態５の発電機起動システムに係る構成図である。
【図８】この発明の実施の形態５の発電機起動システムに係るフローチャートである。
【図９】この発明の実施の形態６の発電機起動システムに係る構成図である。
【発明を実施するための形態】
【００１０】
実施の形態１．
実施の形態１は、ターニングモータと、発電機を電動機としてタービン軸を回転させる静止型駆動装置とを備え、負荷状況に応じてターニングモータによる低速ターニングと静止型駆動装置による高速ターニングとのターニング方式を切り換える切換装置を備える構成とした発電機起動システムに関するものである。
【００１１】
以下、本願発明の実施の形態１に係る発電機起動システム１の構成、動作について、発電機起動システムの構成図である図１、状態遷移図である図２、およびフローチャートである図３に基づいて説明する。
【００１２】
まず発電機起動システム１を含むシステム全体の構成を説明する。
図１において、ガスタービン発電設備は主機としてガスタービン２と発電機３を備え、ガスタービン２と発電機３は軸５で直結されている。さらに、ガスタービン発電設備は、ガスタービン２をタービン着火回転数まで発電機３を用いて起動する静止型駆動装置６とターニング装置を備える。
静止型駆動装置６は、主回路８を通して駆動電流を流して、回転磁界によりトルクを発生させ発電機３を駆動する。
ターニング装置は、ターニングモータ４とターニングギヤ（図示せず）を備え、ターニングモータ４はターニングギヤを介して軸５に連結されるが、図ではターニングギヤを省略している。
【００１３】
発電機起動システム１は、静止型駆動装置６とターニングモータ４および切替装置７を備える。切替装置７は、静止型駆動装置６とターニングモータ４を制御して、ガスタービン２の軸５のターニングを行うとともに、ガスタービン２を起動する時は、発電機３を用いてガスタービン２を着火できる回転数まで上昇させる。
なお、静止型駆動装置６とターニングモータ４は、ガスタービン発電設備および発電機起動システム１にも属する共通設備として説明する。
【００１４】
中央制御装置１１は、ガスタービン発電設備や発電所全体（図示せず）および外部系統（図示せず）の状態を監視し、ガスタービン２の軸５のターニングおよびガスタービン２の起動指令を切替装置７に出力する。切替装置７は、中央制御装置１１からの指令に基づき、軸５のターニングやガスタービン２の起動を行う。
【００１５】
次に、実施の形態１の発電機起動システム１の機能、動作を説明する。
中央制御装置１１からの指令を受けて、切替装置７が静止型駆動装置６による高速ターニングかターニングモータ４による低速ターニングかの選択の判断し、切り替える。
ターニング方式を切り替える方法としては、例えばシーケンサにより起動信号を切替装置７から静止型駆動装置６およびターニングモータ４へ出力することでターニング方式を切り替える。
【００１６】
次に、ターニング方式の状態変化を、図２の状態遷移図に基づいて説明する。
ガスタービン発電設備の定期点検が終了し、ガスタービン発電設備が運転可能状態になると、まず初期状態としてガスタービン２の軸５はターニングモータ４によるターニングが行われる（Ｓ１状態）。このターニングモータ４によるターニングは、低速ターニングである。
Ｓ１状態において、中央制御装置１１から急速起動に対応できるように高速ターニングに移行するように指令が切替装置７に入ると、切替装置７は静止型駆動装置６に対して、高速ターニング指令を出力する。静止型駆動装置６は、主回路８を通じて発電機３をモータとして駆動し、ガスタービン２の軸５（以降、ガスタービン軸５と適宜記載する）を高速回転させる（高速ターニング）（Ｓ２状態）。
Ｓ１状態において、ガスタービン２を起動するように中央制御装置１１から指令が切替装置７に入ると、切替装置７は静止型駆動装置６に対して、タービン起動指令を出力する。静止型駆動装置６は主回路８を通じて、発電機３をモータとして駆動し、ガスタービン２を起動して、着火可能な回転数まで昇速させる（Ｓ３状態）。以降、ガスタービン２はガスタービン制御で昇速され定格回転数に到達する。定格回転数に到達したガスタービン２は、発電機３を駆動して発電を開始する。
【００１７】
Ｓ２状態（高速ターニング）において、中央制御装置１１からガスタービン２を起動するように指令が切替装置７に入ると、切替装置７は静止型駆動装置６に対して、タービン起動指令を出力する。静止型駆動装置６は主回路８を通じて発電機３をモータとして駆動し、ガスタービン２を起動して、着火可能な回転数まで昇速させる（Ｓ３状態）。以降、ガスタービン制御で昇速され定格回転数に到達したガスタービン２は、発電機３を駆動して、発電を開始する。
このＳ２状態（高速ターニング）からのタービン起動は、Ｓ１状態（低速ターニング）からのタービン起動に比較して、起動時間が短く、急速起動の要求に応えることができる。
【００１８】
ガスタービン２が定格回転し、発電機３が定格電力を発電中は、発電機起動システム１は、いわゆる待機状態（Ｓ４状態）にある。
Ｓ４状態（定格運転状態）において、中央制御装置１１からガスタービン２を通常停止するように指令がガスタービン発電設備に入ると、ガスタービン２は低速ターニングの回転数まで減速され、低速ターニング（Ｓ１状態）に入る。
Ｓ４状態（定格運転状態）において、中央制御装置１１からガスタービン２を急速起動待機停止状態にするように指令がガスタービン発電設備に入ると、ガスタービン２は高速ターニングの回転数まで減速され、高速ターニング（Ｓ２状態）に入る。
【００１９】
次に、発電機起動システム１の動作を図３のフローチャートに基づいて説明する。
まず、切替装置７内のシーケンサが起動する（ステップ１１）と、ターニングモータ４によるターニング（低速ターニング）がスタートする（ステップ１２）。
次に、切替装置７は、中央制御装置１１からのガスタービンプラント起動指令を受け、ガスタービン２を起動するがどうかの判断を行う（ステップ１３）。ガスタービンプラントを起動する場合はステップ１４に進み、静止型駆動装置６によるタービン起動を行う。ガスタービンプラント起動でない場合は、ステップ１６に進みターニング方式の切り換えを行うか判断する。もし、電力需要のピーク時対応や再生可能エネルギーの導入による負荷変動抑制が見込まれる時間帯であれば、切替装置７は急速起動準備が必要と判断し、静止型駆動装置６による高速ターニングを行う。急速起動準備が必要ない場合は、ステップ１２に移動し、ターニングモータ４による低速ターニングを継続する。
ステップ１３でガスタービンプラントを起動する場合は、静止型駆動装置６により発電機３を駆動しガスタービン２をタービン着火回転数まで昇速させ、ガスタービンプラントを起動させる。ガスタービンプラント運転中は、切替装置７はステップ１５で待機する。  ガスタービン２が停止信号を受けて、ガスタービン２がターニングモータ４または静止型駆動装置６によるターニングの速度になったとき、ターニング方式を中央制御装置１１からの指令で低速ターニングか高速ターニング待機するか判断する。高速ターニングでの待機が必要な場合はステップ１７へ進む。低速ターニングで待機する場合は、ステップ１２へ進む。
【００２０】
以上、実施の形態１では、ガスタービン発電設備を例として説明したが、発電機を駆動する原動機はガスタービンに限らず、静止型駆動装置を使用する発電設備であれば適用できる。
また、実施の形態１では、ガスタービン、発電機、ターニングモータ、静止型駆動装置、および切替装置を各１台備える構成を説明した。複数のガスタービンおよび発電機を設置（例えば、第１号機から第ｎ号機を設置）する発電設備においては、静止型駆動装置および切替装置を共通に１台または故障、保守性を考慮して複数台設置することができる。
【００２１】
以上説明したように、実施の形態１の発電機起動システム１は、ターニングモータと、発電機を電動機としてタービン軸を回転させる静止型駆動装置とを備え、負荷状況に応じてターニングモータによる低速ターニングと静止型駆動装置による高速ターニングとのターニング方式を切り換える切換装置を備える構成としている。このため、所内負荷を下げ、電力消費のピーク時等はガスタービンの急速起動の要求に対応することができる。
【００２２】
実施の形態２．
実施の形態２の発電機起動システムは、実施の形態１の発電機起動システムに、さらに過去のガスタービンの起動実績データを保管したデータサーバを備える構成としたものである。
【００２３】
以下、実施の形態２の発電機起動システム１００の構成、動作について、発電機起動システムの構成図である図４に基づいて実施の形態１との差異を中心に説明する。
なお、図４において、図１と同一あるいは相当部分には、同一の符号を付している。
【００２４】
図４において、発電機起動システム１００は、静止型駆動装置６、ターニングモータ４、切替装置１０１、およびデータサーバ１０２を備える。データサーバ１０２は過去の起動実績データを保管している。
切替装置１０１は、中央制御装置１１からターニング方式選択の指令およびガスタービン起動の指令を受けるとともに、データサーバ１０２に保管された過去のガスタービンの起動実績データを参照することで、適切なターニング方式を決定できる。
【００２５】
次に、実施の形態２の発電機起動システム１００の機能、動作を説明する。
実施の形態２の発電機起動システム１００では、切替装置１０１はデータサーバ１０２にアクセスし、過去の起動実績を参照することで、電力需要予測を行い、静止型駆動装置６による高速ターニングかターニングモータ４による低速ターニングかを判断する。このため、切替装置１０１はターニング方式の切り替えを自動で行う。過去の運転実績から急速起動が必要な時期を予測し、需要予測に合わせて切り換えるため、より適切なターニング方式を選択できる。例えば、高速ターニングで待機する必要がない状況で、高速ターニングを行うと、所内負荷の増加になる。実施の形態２では、高速ターニングの時間を減らし、より省力化することができる。
【００２６】
以上説明したように、実施の形態２の発電機起動システム１００は、実施の形態１の発電機起動システムに、さらに過去のガスタービンの起動実績データを保管したデータサーバを備える構成としている。このため、所内負荷を下げ、電力消費のピーク時等はガスタービンの急速起動の要求に対応することができる。さらに、より適切なターニング方式を選択でき、高速ターニングの時間を減らし、より省力化することができる。
【００２７】
実施の形態３．
実施の形態３の発電機起動システム２００は、切替装置は連結する太陽光発電設備から発電状況のデータを受信する構成としたものである。
以下、実施の形態３の発電機起動システム２００の構成、動作について、発電機起動システムの構成図である図５に基づいて、実施の形態１との差異を中心に説明する。
なお、図５において、図１と同一あるいは相当部分には、同一の符号を付している。
【００２８】
図５において、発電機起動システム２００は、静止型駆動装置６、ターニングモータ４、および切替装置２０１を備える。
切替装置２０１は、ガスタービン発電プラントとは別に設置された連結する太陽光発電設備２０２との情報通信ラインを有する。切替装置２０１は、発電情報の授受を行い、主として太陽光発電設備２０２から発電状況のデータを受信する。
【００２９】
次に、実施の形態３の発電機起動システム２００の機能、動作を説明する。
実施の形態３の発電機起動システム２００では、切替装置２０１は連結する太陽光発電設備２０２から発電状態データを受信し、負荷変動を予測し静止型駆動装置６による高速ターニングかターニングモータ４による低速ターニングかを判断し、自動で切り替えを行う。
切替装置２０１は、中央制御装置１１からターニング方式選択の指令およびガスタービン起動の指令を受けるとともに、太陽光発電設備２０２からの発電状態データを受信することで、適切なターニング方式を決定できる。
また、太陽光発電設備２０２でなく、他の再生可能エネルギー発電設備や、再生可能エネルギーを備えたスマートグリッドと連結させることができる。再生可能エネルギーの現在の発電データを受信することで、再生可能エネルギーによる給電が低くなったとしても、急速起動状態で待機して、迅速にガスタービン発電から給電することができるため、電圧変動がなく安定した電気を送電することができる。
【００３０】
以上説明したように、実施の形態３の発電機起動システム２００は、切替装置は連結する太陽光発電設備から発電状況のデータを受信する構成としている。このため、所内負荷を下げ、電力消費のピーク時等はガスタービンの急速起動の要求に対応することができる。さらに、連結する再生可能エネルギーによる給電が低くなったとしても、電圧変動がなく安定した電気を送電することができる。
【００３１】
実施の形態４．
実施の形態４の発電機起動システム３００は、実施の形態１の発電機起動システムに、さらにターニング方式の切換信号に対してインターロックを設ける構成としたものである。
以下、実施の形態３の発電機起動システム３００の構成、動作について、発電機起動システムの構成図である図６に基づいて、実施の形態１との差異を中心に説明する。
なお、図６において、図１と同一あるいは相当部分には、同一の符号を付している。
【００３２】
図６において、発電機起動システム３００は、静止型駆動装置６、ターニングモータ４、および切替装置３０１を備える。切替装置３０１と静止型駆動装置６およびターニングモータ４の間には、それぞれインターロックリレー３０２ａおよび３０２ｂが設けられている。
インターロックリレー３０２ａと３０２ｂは、お互いにインターロックが設けられており、インターロックリレー３０２ａと３０２ｂは同時にオンになることはない。
【００３３】
次に、実施の形態４の発電機起動システム３００の機能、動作を説明する。
実施の形態４では、切替装置３０１から静止型駆動装置６およびターニングモータ４への出力信号ラインにインターロックリレー３０２ａ、３０２ｂを設けることで、確実に静止型駆動装置６およびターニングモータ４との切り替えを行い、同時起動を起こさないようにしている。インターロックリレー３０２ａ、３０２ｂがない場合、切替装置３０１内部の異常によりターニングモータ４と静止型駆動装置６の両方にターニング信号が送られる可能性も考えられる。この場合、発電機に異常なトルクが発生し、損傷する可能性がある。インターロックリレーを設けることで、ターニングモータ４と静止型駆動装置６の両方にターニング信号が同時に出力されることがなくなる。これによりターニング方式の切り替えの安全性をより高めることができる。
【００３４】
実施の形態４の発電機起動システムでは、インターロックリレーを用いる構成としたが、例えば半導体回路を用いてインターロックを構成してもよい。
【００３５】
以上説明したように、実施の形態４の発電機起動システム３００は、さらにターニング方式の切換信号に対してインターロックを設ける構成としている。このため、所内負荷を下げ、電力消費のピーク時等はガスタービンの急速起動の要求に対応することができる。さらに、ターニング方式の切り替えの安全性をより高めることができる。
【００３６】
実施の形態５．
実施の形態５の発電機起動システム４００は、切替装置にさらに静止型駆動装置による２種類の高速ターニング速度での運用が可能とする速度制御部を追加した構成としたものである。
以下、実施の形態５の発電機起動システム４００の構成、動作について、発電機起動システムの構成図である図７、およびフローチャートである図８に基づいて、実施の形態１との差異を中心に説明する。
なお、図７において、図１と同一あるいは相当部分には、同一の符号を付している。
【００３７】
実施の形態５の発電機起動システム４００と実施の形態１の発電機起動システム１とは構成は同じであり、その差異は切替装置４０１と静止型駆動装置４０２の機能である。
実施の形態５の発電機起動システム４００では、後述するように、静止型駆動装置４０２による高速ターニングを２種類の回転速度で行う。
【００３８】
実施の形態１では静止型駆動装置６とターニングモータ４によるターニングを切り替えて、所内負荷の低減を図ると共に、ガスタービンの急速起動の要求に対しても適切に対応している。
しかし、静止型駆動装置６によるターニングは、ターニングモータ４によるターニングに比べ所内負荷が大きい。これはターニング速度を早くするには大きなトルクを発生させる必要があり、静止型駆動装置から発電機３への電流量が増加するからである。ターニングモータ４は大電流を必要としないため、静止型駆動装置６に比較して所内負荷が少ないが、急速起動ができない。したがって、所内負荷とターニング速度はトレードオフの関係となる。
【００３９】
実施の形態５では、切替装置４０１に静止型駆動装置６の速度制御部（切替ロジック）（ステップ２７〜ステップ２９）を追加することで、静止型駆動装置６による２種類の高速ターニング速度での運用が可能となる。
静止型駆動装置６による高速１ターニングでは急速起動は早いが、所内不可が大きくなる。静止型駆動装置６による高速ターニング２では起動は高速１ターニングに比べ遅いが、所内負荷を高速１ターニングより押さえることができる。
速度制御部（切替ロジック）追加により、様々な電力需要に合わせて起動方法を選択することが可能であり、コスト面と機能面を両立させてガスタービンの急速起動に対応できる。
【００４０】
実施の形態５の発電機起動システム４００の高速ターニングの動作について、図８のフローチャートに基づいて説明する。ステップ１１からステップ１６は、実施の形態１の図３のフローチャートと同じであるため、説明を省略する。
ステップ１６で、急速起動準備が必要と判断された場合、ステップ２７で静止型駆動装置６による高速１ターニングを行うかどうか判断する。高速１ターニングを行う必要がある場合は、ステップ２８へ進み、静止型駆動装置６による高速１ターニングが行われる。高速１ターニングを行う必要がない場合は、ステップ２９へ進み、静止型駆動装置６による高速２ターニングが行われる。ここで、高速１ターニングは、高速２ターニングよりも、回転速度が早く、より短時間でガスタービンの急速起動要求に応えることができる。
【００４１】
実施に形態５では、高速ターニングの速度を２種類の速度（高速１ターニング、高速２ターニング）を設ける構成としていたが、３種類以上の速度を設ける構成とすることができる。
【００４２】
以上説明したように、実施の形態５の発電機起動システム４００は、切替装置にさらに静止型駆動装置による２種類の高速ターニング速度での運用が可能とする速度制御部を追加した構成としている。このため、所内負荷を下げ、電力消費のピーク時等はガスタービンの急速起動の要求に対応することができる。さらに、より短時間でガスタービンの急速起動要求に応えることができる。
【００４３】
実施の形態６．
実施の形態６の発電機起動システム５００は、中央制御装置は他ユニットの所内負荷データを受信する構成としたものである。
以下、実施の形態６の発電機起動システム５００の構成、動作について、発電機起動システムの構成図である図９に基づいて、実施の形態１との差異を中心に説明する。
なお、図９において、図１と同一あるいは相当部分には、同一の符号を付している。
【００４４】
図９において、発電機起動システム５００は、静止型駆動装置６、ターニングモータ４、および切替装置７を備える。中央制御装置５０１は、ガスタービン発電プラント内の他のガスタービンユニット５０２と発電状況や所内負荷状況のデータの授受を行っている。
【００４５】
実施の形態６の発電機起動システム５００では、中央制御装置５０１が同発電プラント内の他のユニット５０２の所内負荷のデータを受信することで、他ユニットと協調してガスタービンの急速起動に対応することができる。  所内負荷が高い場合はターニングモータ４による低速ターニングを行い、所内負荷が低い場合は、静止型駆動装置６による高速ターニングに自動で切り替えることで、ガスタービンの急速起動要求に適切に対応ができる。
【００４６】
実施の形態６の発電機起動システムでは、他ユニットの所内負荷も考慮し、静止型駆動装置６による高速ターニングが一部のユニットに集中しないようにすることができる。このため、高速ターニングの時間をユニットごとに平均化し、急速起動が集中することによって一部のユニットの故障確率が増加することを防止し、急速起動により発電機３および静止型駆動装置６の寿命が短くなること防止することができる。
【００４７】
以上説明したように、実施の形態６の発電機起動システム５００は、中央制御装置は他ユニットの所内負荷データを受信する構成としたものである。このため、所内負荷を下げ、電力消費のピーク時等はガスタービンの急速起動の要求に対応することができる。さらに、急速起動が集中することによって一部のユニットだけの故障確率が増加することを防止することができる。
【００４８】
なお、本発明は、その発明の範囲内において、実施の形態を適宜、変形、省略することが可能である。
【符号の説明】
【００４９】
１，１００，２００，３００，４００，５００  発電機起動システム、
２  ガスタービン、３  発電機、４  ターニングモータ、５  軸、
６，４０２  静止型駆動装置、７，１０１，２０１，３０１，４０１  切替装置、
８  主回路、１１，５０１  中央制御装置、１０２  データサーバ、
２０２  太陽光発電設備、３０２ａ，３０２ｂ  インターロックリレー、
５０２  他ユニット。
【図１】
2015001153.tif 000003
【図２】
2015001153.tif 000004
【図３】
2015001153.tif 000005
【図４】
2015001153.tif 000006
【図５】
2015001153.tif 000007
【図６】
2015001153.tif 000008
【図７】
2015001153.tif 000009
【図８】
2015001153.tif 000010
【図９】
2015001153.tif 000011